(57)【要約】  効果的に潤滑剤を供給しうる湯水混合栓の提供。  湯水混合栓１０は、固定弁体６２と可動弁体６０とを備える。固定弁体６２は、湯供給孔８０、水供給孔８２、排出孔８４、第１摺動面ＰＬ１、及び潤滑剤保持部１０２を有する。潤滑剤保持部の少なくとも一部が、湯供給孔８０の周方向延長領域Ｒ１と、水供給孔８２の周方向延長領域Ｒ２とに設けられている。周方向延長領域Ｒ１において、湯供給孔８０と潤滑剤保持部１０２との間が第１摺動面ＰＬ１のみで占められている。周方向延長領域Ｒ２において、水供給孔８２と潤滑剤保持部１０２との間が第１摺動面ＰＬ１のみで占められている。
2020044514.tif 000002
【特許請求の範囲】
【請求項１】
固定弁体と可動弁体とを備えており、  前記固定弁体が、湯供給孔と、水供給孔と、排出孔と、前記可動弁体が摺動する第１摺動面と、前記第１摺動面に隣接する潤滑剤保持部とを有しており、  前記可動弁体が、前記第１摺動面と摺動する第２摺動面と、湯水混合凹部とを有しており、  前記潤滑剤保持部の少なくとも一部が、次の（ａ）及び（ｂ）に設けられており、（ａ）前記湯供給孔の周方向延長領域（ｂ）前記水供給孔の周方向延長領域  前記湯供給孔の周方向延長領域において、前記湯供給孔と前記潤滑剤保持部との間が、前記第１摺動面のみで占められており、  前記水供給孔の周方向延長領域において、前記水供給孔と前記潤滑剤保持部との間が、前記第１摺動面のみで占められている湯水混合栓。
【請求項２】
前記潤滑剤保持部が、局所的に幅が小さくされている幅狭部を有しており、  前記幅狭部が、前記第１摺動面から下側に向かって延びている請求項１に記載の湯水混合栓。
【請求項３】
前記幅狭部が、前記湯供給孔の周方向延長領域に設けられている湯側幅狭部と、前記水供給孔の周方向延長領域に設けられている水側幅狭部とを有している請求項２に記載の湯水混合栓。
【請求項４】
前記潤滑剤保持部が、前記固定弁体の材質よりも界面張力が低い表面皮膜を有しており、  前記表面皮膜が、前記幅狭部以外の部分に設けられている請求項２又は３に記載の湯水混合栓。
【請求項５】
深さ０．０３ｍｍの位置における前記幅狭部の幅Ｗ１が、０．７ｍｍ以下である請求項２から４のいずれか１項に記載の湯水混合栓。
【請求項６】
固定弁体と可動弁体とを備えており、  前記固定弁体が、湯供給孔と、水供給孔と、排出孔と、前記可動弁体が摺動する第１摺動面と、前記第１摺動面に隣接する潤滑剤保持部とを有しており、  前記可動弁体が、前記第１摺動面と摺動する第２摺動面と、湯水混合凹部とを有しており、  前記潤滑剤保持部が、局所的に幅が小さくされている幅狭部を有しており、  前記幅狭部が、前記第１摺動面から下側に向かって延びている湯水混合栓。
【請求項７】
前記湯供給孔と前記潤滑剤保持部との最短距離がＤ１とされ、前記水供給孔と前記潤滑剤保持部との最短距離がＤ２とされるとき、Ｄ１／Ｄ２が０．５以上２以下である請求項１から６のいずれか１項に記載の湯水混合栓。
【請求項８】
前記最短距離Ｄ１が０．５ｍｍ以上７ｍｍ以下であり、前記最短距離Ｄ２が０．５ｍｍ以上７ｍｍ以下である請求項７に記載の湯水混合栓。
【請求項９】
前記第１摺動面の面積がＭ１とされ、前記潤滑剤保持部の面積がＭ２とされるとき、Ｍ２／Ｍ１が０．０５以上０．４０以下である請求項１から８のいずれか１項に記載の湯水混合栓。
【発明の詳細な説明】
【技術分野】
【０００１】  本開示は、湯水混合栓に関する。
【背景技術】
【０００２】  固定弁体と、この固定弁体上を摺動する可動弁体とを有するシングルレバー式の湯水混合栓が知られている。この湯水混合栓では、固定弁体と可動弁体との間の摺動抵抗を低減するため、グリース等の潤滑剤が用いられる。特開２００２−２２０４０号公報は、潤滑剤が充填された陥没部を有する固定弁体を開示する。
【先行技術文献】
【特許文献】
【０００３】
【特許文献１】特開２００２−２２０４０号公報
【発明の概要】
【発明が解決しようとする課題】
【０００４】  摺動合わせ面に供給された潤滑剤は、水流により流出する。摺動合わせ面から潤滑剤が流出すると、摩耗が促進され、摺動合わせ面からの水漏れ及び弁体同士の固着が生じうる。鋭意検討の結果、本発明者は、部位によって潤滑剤の流出度合いに差があることを見いだした。また、より長期に亘って潤滑剤が供給されるのが好ましい。本開示は、より効果的に潤滑剤を供給しうる湯水混合栓に関する。
【課題を解決するための手段】
【０００５】  一つの態様では、湯水混合栓は、固定弁体と可動弁体とを備えている。前記固定弁体が、湯供給孔と、水供給孔と、排出孔と、前記可動弁体が摺動する第１摺動面と、前記第１摺動面に隣接する潤滑剤保持部とを有している。前記可動弁体が、前記第１摺動面と摺動する第２摺動面と、湯水混合凹部とを有している。前記潤滑剤保持部の少なくとも一部が、次の（ａ）及び（ｂ）に設けられている。（ａ）前記湯供給孔の周方向延長領域（ｂ）前記水供給孔の周方向延長領域  前記湯供給孔の周方向延長領域において、前記湯供給孔と前記潤滑剤保持部との間が、前記第１摺動面のみで占められており、  前記水供給孔の周方向延長領域において、前記水供給孔と前記潤滑剤保持部との間が、前記第１摺動面のみで占められている。【０００６】  他の態様では、湯水混合栓は、固定弁体と可動弁体とを備えている。前記固定弁体が、湯供給孔と、水供給孔と、排出孔と、前記可動弁体が摺動する第１摺動面と、前記第１摺動面に隣接する潤滑剤保持部とを有している。前記可動弁体が、前記第１摺動面と摺動する第２摺動面と、湯水混合凹部とを有している。前記潤滑剤保持部が、局所的に幅が小さくされている幅狭部を有している。前記幅狭部が、前記第１摺動面から下側に向かって延びている。
【発明の効果】
【０００７】  一つの側面では、潤滑剤が流出しやすい領域に効果的に潤滑剤が供給されうる。他の側面では、潤滑剤が長期に亘って供給されうる。
【図面の簡単な説明】
【０００８】
【図１】図１は、第１実施形態に係る湯水混合栓の斜視図である。
【図２】図２は、図１の湯水混合栓に用いられているバルブ組立体の断面図である。
【図３】図３は、第１実施形態に係る固定弁体の斜視図である。
【図４】図４は、第１実施形態に係る固定弁体の平面図である。
【図５】図５は、第１実施形態に係る固定弁体の底面図である。
【図６】図６は、第１実施形態に係る固定弁体の拡大平面図である。
【図７】図７は、図４のＡ−Ａ線に沿った断面図である。
【図８】図８は、第２実施形態に係る固定弁体の斜視図である。
【図９】図９は、第２実施形態に係る固定弁体の平面図である。
【図１０】図１０は、第２実施形態に係る固定弁体の底面図である。
【図１１】図１１は、第２実施形態に係る固定弁体の拡大平面図である。
【図１２】図１２は、図９のＡ−Ａ線に沿った断面図である。
【図１３】図１３は、第２実施形態に係る幅狭部の拡大断面図である。
【図１４】図１４は、第１実施形態に係る幅狭部の拡大断面図である。
【発明を実施するための形態】
【０００９】  以下、適宜図面が参照されつつ、実施形態が詳細に説明される。なお以下では、「水」及び「湯」との文言が用いられる。湯供給孔からの液体と水供給孔からの液体とを区別する観点から、必要に応じて、「湯」と「水」とが使い分けられる。一方、湯供給孔からの液体と水供給孔からの液体とを総称して「水」としている記載もある。
【００１０】  図１は、一実施形態に係る湯水混合栓１０の斜視図である。湯水混合栓１０は、水栓本体１２、レバーハンドル１４、吐出部１６、湯導入管１８、水導入管２０及び吐出管２２を有する。吐出部１６は、ヘッド２４を有する。ヘッド２４は、切替レバー２６を有する。この切替レバー２６の操作により、シャワー吐出と通常吐出との切り替えが可能である。湯水混合栓１０は、例えば、キッチン、洗面台等で使用される。
【００１１】  更に、ヘッド２４は、切替ボタン２８と表示部３０を有する。吐出部１６には、浄水カートリッジ（図示されず）が内臓されている。切替ボタン２８により、浄水カートリッジを透過する流路と、浄水カートリッジを透過しない流路とが切り換えられる。浄水カートリッジを透過する流路に切り換えられると、浄水が吐出される。浄水カートリッジを透過しない流路に切り換えられると、原水が吐出される。表示部３０は、吐水が浄水か原水かを表示する。
【００１２】  レバーハンドル１４の前後回動（上下動）により、レバー前後位置が変化する。レバー前後位置により、吐出量が調整される。本実施形態では、レバーハンドル１４を上側に動かすほど吐出量が増加し、レバーハンドル１４を最も下側にすると止水される。レバー左右位置に拘わらず、レバーハンドル１４が最も下側にあるとき、止水状態となる。逆に、レバーハンドル１４を下側に動かすほど吐出量が増加してもよい。レバーハンドル１４の左右回動により、レバー左右位置が変化する。レバー左右位置により、湯と水との混合割合が変化する。レバーハンドル１４の左右回動により、吐水温度の調整が可能である。
【００１３】  図２は、バルブ組立体３８及の縦断面図である。湯水混合栓１０において、バルブ組立体３８は交換可能である。
【００１４】  バルブ組立体３８は、湯水混合栓１０の水栓本体１２に内蔵されている。図２が示すように、バルブ組立体３８は、移動体４０、上ケース４２、回動体４４、レバー４６、レバー回転軸４８、可動弁体６０、固定弁体６２、インナーシール部材６４、下シール部材６６及び下ケース６８を有する。
【００１５】  移動体４０は、回動体４４に、上下移動が可能な状態で保持されている。移動体４０は、回動体４４に対して上下移動のみが可能であり、回動体４４に対して相対回転することはできない。移動体４０は、レバーハンドル１４の左右回動に連動して回動体４４と共に回転し、且つこの回転に連動して上下移動しうるように構成されている。この移動体４０の上下移動は、移動体４０と上ケース４２との間で形成されたカム機構によって達成されている。上ケース４２の外周面にはカム溝７０が設けられており、移動体４０の内周面には、このカム溝７０と係合する突起（図示されず）が設けられている。この突起がカム溝７０内を移動することで、カム機構が発現する。
【００１６】  移動体４０は、レバーハンドル１４の前後回動に伴い発現する前後クリック機構を有する。移動体４０が上側に移動すると、前後クリック機構の係合が解除されるように構成されている。移動体４０が下側に移動すると、前後クリック機構の係合が達成されるように構成されている。この構成により、特定のレバー左右位置で前後クリック機構が発現する。
【００１７】  上ケース４２は、下ケース６８に固定されている。上ケース４２と下ケース６８とで、弁体６０，６２を収容する収容部が構成されている。
【００１８】  回動体４４は、所定の角度範囲で回転可能な状態で、上ケース４２に保持されている。回動体４４は、レバーハンドル１４と共に回転する。回動体４４は、回動が可能な状態で、レバー４６を保持している。回動体４４は、スライド移動が可能な状態で、上側部材８６を保持している。
【００１９】  レバー４６は、上部５０及び下部５２を有する。上部５０には、レバーハンドル１４が固定されている。レバーハンドル１４が前後回動されると、レバー４６はレバー回転軸４８を中心として回動する。すなわち、レバーハンドル１４が前後回動されると、レバー４６も前後回動される。レバーハンドル１４が左右回動されると、レバー４６も左右回動される。
【００２０】  可動弁体６０は、上側部材８６と下側部材８８とを有する。上側部材８６は下側部材８８に固定されている。下側部材８８（可動弁体６０）の下面は、湯水混合凹部９４と第２摺動面ＰＬ２とを有している。上側部材８６は、レバー係合凹部９８を有している。レバー係合凹部９８に、レバー４６の下部５２が係合している。
【００２１】  レバー４６が前後回動されると、下部５２が動き、この動きに連動して、上側部材８６が回動体４４に対してスライド移動する。この結果、可動弁体６０が、固定弁体６２に対して移動する。
【００２２】  レバー４６が左右回動されると、レバー４６と共に回動体４４が回転し、上側部材８６（可動弁体６０）も回転する。この結果、可動弁体６０が、固定弁体６２に対して回転する。
【００２３】  下ケース６８は、湯導入孔、水導入孔及び吐出孔を有しており、これらのそれぞれが、湯導入管１８、水導入管２０及び吐出管２２のそれぞれに接続されている。インナーシール部材６４は、３組の孔の接続部分のそれぞれについて、固定弁体６２と下ケース６８との間をシールしている。
【００２４】  固定弁体６２は、下ケース６８の上側に位置する。固定弁体６２は、インナーシール部材６４で下方から支持されつつ、このインナーシール部材６４により可動弁体６０に押し付けられている。固定弁体６２の上面は、第１摺動面ＰＬ１を有する。第１摺動面ＰＬ１は、可動弁体６０の第２摺動面ＰＬ２と摺動する。第１摺動面ＰＬ１と第２摺動面ＰＬ２とで摺動合わせ面ＰＬ３が形成されている。第１摺動面ＰＬ１は、第２摺動面ＰＬ２と接触する部分と面一である平面全体を意味する。
【００２５】  図３は固定弁体６２の斜視図であり、図４は固定弁体６２の平面図であり、図５は固定弁体６２の底面図である。
【００２６】  固定弁体６２は、湯供給孔８０、水供給孔８２及び排出孔８４を有する。湯供給孔８０は、固定弁体６２を貫通している。湯供給孔８０は、下ケース６８の湯導入孔に接続されている。水供給孔８２は、固定弁体６２を貫通している。水供給孔８２は、下ケース６８の水導入孔に接続されている。排出孔８４は、固定弁体６２を貫通している。排出孔８４は、下ケース６８の吐出孔に接続されている。
【００２７】  湯供給孔８０は、上開口線８０ａを有する。この上開口線８０ａは、第１摺動面ＰＬ１における湯供給孔８０の輪郭線である。上開口線８０ａは、湯供給孔８０の上開口の輪郭線である。
【００２８】  水供給孔８２は、上開口線８２ａを有する。この上開口線８２ａは、第１摺動面ＰＬ１における水供給孔８２の輪郭線である。上開口線８２ａは、水供給孔８２の上開口の輪郭線である。
【００２９】  排出孔８４は、上開口線８４ａを有する。この上開口線８４ａは、第１摺動面ＰＬ１における排出孔８４の輪郭線である。上開口線８４ａは、排出孔８４の上開口の輪郭線である。
【００３０】  固定弁体６２において、供給孔８０，８２は左右非対称に配置されている。レバー左右位置が正面位置にあるとき、水のみが吐出される。すなわち、レバー左右位置が正面位置にあるとき、水吐出状態が達成される。この構成は、湯の節約に寄与し、省エネルギー性を高める。供給孔８０，８２は左右対称に配置されていてもよい。
【００３１】  前述の通り、固定弁体６２の上面には、第１摺動面ＰＬ１が設けられている。第１摺動面ＰＬ１は平面である。前記孔８０、８２、８４及び潤滑剤保持部（後述）が存在していない部分に、第１摺動面ＰＬ１が形成されている。
【００３２】  前述の通り、レバーハンドル１４の操作により、可動弁体６０が固定弁体６２に対して移動する。よって、可動弁体６０の湯水混合凹部９４も移動する。湯水混合凹部９４の位置によって、吐水状態が変化する。湯水混合凹部９４が湯供給孔８０及び／又は水供給孔８２と排出孔８４とに重複することで、吐水状態が達成される。吐水状態は、混合吐出状態、湯吐出状態及び水吐出状態を含む。湯水混合凹部９４が湯供給孔８０及び水供給孔８２に重複しているとき、混合吐出状態が達成される。混合吐出状態では、湯供給孔８０からの湯と水供給孔８２からの水とが混合されて吐出される。湯水混合凹部９４が、湯供給孔８０のみに重複し、水供給孔８２に重複していないとき、湯吐出状態が達成される。湯吐出状態では、湯供給孔８０からの湯のみが吐出され、水供給孔８２からの水は吐出されない。湯水混合凹部９４が、水供給孔８２のみに重複し、湯供給孔８０に重複していないとき、水吐出状態が達成される。水吐出状態では、水供給孔８２からの水のみが吐出され、湯供給孔８０からの湯は吐出されない。湯水混合凹部９４が湯供給孔８０及び水供給孔８２に重複していないとき、止水状態が達成される。
【００３３】  固定弁体６２は、外縁１００を有する。湯供給孔８０の上開口線８０ａは、外縁１００に至っていない。すなわち、湯供給孔８０は固定弁体６２の外側に繋がっていない。湯供給孔８０の周囲全体が第１摺動面ＰＬ１で囲まれている。水供給孔８２の上開口線８２ａは、外縁１００に繋がっていない。すなわち、水供給孔８２は固定弁体６２の外側に繋がっていない。水供給孔８２の周囲全体が第１摺動面ＰＬ１で囲まれている。排出孔８４の上開口線８４ａは、外縁１００に繋がっていない。すなわち、排出孔８４は固定弁体６２の外側に繋がっていない。排出孔８４の周囲全体が第１摺動面ＰＬ１で囲まれている。
【００３４】  固定弁体６２は、潤滑剤保持部１０２を有する。潤滑剤保持部１０２は、固定弁体６２の上面に設けられている。潤滑剤保持部１０２は、第１摺動面ＰＬ１よりも低い面を形成している。図示されていないが、潤滑剤保持部１０２には、潤滑剤が配置されている。潤滑剤として、グリース及びワックスが例示される。本実施形態では、潤滑剤としてグリースが用いられている。潤滑剤保持部１０２は、第１摺動面ＰＬ１に隣接している。潤滑剤保持部１０２の外縁は、第１摺動面ＰＬ１上に位置している。
【００３５】  潤滑剤保持部１０２は、第１潤滑剤保持部１０２ａと、第２潤滑剤保持部１０２ｂとを有する。第１潤滑剤保持部１０２ａと第２潤滑剤保持部１０２ｂとは、互いに繋がっていない。第１潤滑剤保持部１０２ａと第２潤滑剤保持部１０２ｂとは、互いに独立している。
【００３６】  第１潤滑剤保持部１０２ａは、湯供給孔８０に近い。第１潤滑剤保持部１０２ａと湯供給孔８０との最短距離は、第２潤滑剤保持部１０２ｂと湯供給孔８０との最短距離よりも小さい。第１潤滑剤保持部１０２ａと湯供給孔８０との最短距離は、第１潤滑剤保持部１０２ａと排出孔８４との最短距離よりも小さい。第１潤滑剤保持部１０２ａと排出孔８４との間は、第１摺動面ＰＬ１のみで占められている。
【００３７】  第２潤滑剤保持部１０２ｂは、水供給孔８２に近い。第２潤滑剤保持部１０２ｂと水供給孔８２との最短距離は、第１潤滑剤保持部１０２ａと水供給孔８２との最短距離よりも小さい。第２潤滑剤保持部１０２ｂと水供給孔８２との最短距離は、第２潤滑剤保持部１０２ｂと排出孔８４との最短距離よりも小さい。第２潤滑剤保持部１０２ｂと水供給孔８２との間は、第１摺動面ＰＬ１のみで占められている。
【００３８】  潤滑剤保持部１０２の数は１であってもよいし、２以上であってもよい。本実施形態では、潤滑剤保持部１０２の数は２である。
【００３９】  吐水状態において、湯水混合凹部９４は潤滑剤保持部１０２に重複しない。止水状態において、湯水混合凹部９４は潤滑剤保持部１０２に重複しない。あらゆるレバー左右位置において、湯水混合凹部９４は潤滑剤保持部１０２に重複しない。あらゆるレバー前後位置において、湯水混合凹部９４は潤滑剤保持部１０２に重複しない。
【００４０】  第１潤滑剤保持部１０２ａは、凹部１０４ａを有する。また、第１潤滑剤保持部１０２ａは、外部接続部１０６ａを有する。外部接続部１０６ａは、第１摺動面ＰＬ１よりも低い面を形成しており、外縁１００に繋がっている。凹部１０４ａは外部接続部１０６ａに繋がっている。第１摺動面ＰＬ１からの最大深さを比較すると、凹部１０４ａは、外側接続部１０６ａよりも深い。
【００４１】  第２潤滑剤保持部１０２ｂは、凹部１０４ｂを有する。また、第２潤滑剤保持部１０２ｂは、外部接続部１０６ｂを有する。外部接続部１０６ｂは、第１摺動面ＰＬ１よりも低い面を形成しており、外縁１００に繋がっている。凹部１０４ｂは外部接続部１０６ｂに繋がっている。第１摺動面ＰＬ１からの最大深さを比較すると、凹部１０４ｂは、外側接続部１０６ｂよりも深い。
【００４２】  第１潤滑剤保持部１０２ａと第２潤滑剤保持部１０２ｂとは、互いに左右対称の関係にある。平面図（図４）において、第１潤滑剤保持部１０２ａと第２潤滑剤保持部１０２ｂとは互いに線対称の関係にある。
【００４３】  図６は、固定弁体６２の拡大平面図である。なお図６では、水供給孔８２においては上開口線８２ａのみが示されており、潤滑剤保持部１０２においては輪郭線のみが示されている。
【００４４】  図６において２点鎖線で示されているのは、固定弁体６２の最小包含円ＭＣ１である。本願において、最小包含円ＭＣ１は、次のように定義される。最小包含円ＭＣ１は、その内側に固定弁体６２の全体を含む円のうち、半径が最小の円と定義される。最小包含円ＭＣ１は、図６のような平面図において決定される。この平面図は、第１摺動面ＰＬ１と平行な平面への、固定弁体６２の投影図である。本実施形態では、最小包含円ＭＣ１の半径Ｒは、固定弁体６２の外周面７８を含む円周面の半径に等しい。本願における径方向とは、この最小包含円ＭＣ１の半径方向である。本願における周方向とは、この最小包含円ＭＣ１の周方向である。
【００４５】  固定弁体６２に関して、本願では、以下の領域（ａ）及び（ｂ）が定義される。これらは、固定弁体６２の上面における領域である。これらの領域は、固定弁体６２の平面図において決定される。（ａ）湯供給孔８０の周方向延長領域Ｒ１（ｂ）水供給孔８２の周方向延長領域Ｒ２
【００４６】  図６において符号ＣＰで示されているのは、最小包含円ＭＣ１の中心点である。直線Ｌ１は、点ＣＰと点Ｐ１とを通る直線である。点Ｐ１は、周方向において最も水供給孔８２側に位置する、上開口線８０ａ上の点である。直線Ｌ２は、点ＣＰと点Ｐ２とを通る直線である。点Ｐ２は、周方向において最も湯供給孔８０側に位置する、上開口線８２ａ上の点である。直線Ｌ３は、点ＣＰを通る直線であって、直線Ｌ１と直線Ｌ２との成す角の２等分線である。この直線Ｌ３は、湯供給孔８０と水供給孔８２との間の中心と固定弁体６２の中心（点ＣＰ）とを通る直線である。
【００４７】  直線Ｌ３は、最小包含円ＭＣ１の直径の一つである。直線Ｌ３は、固定弁体６２を２つの領域に区画する。直線Ｌ３により、固定弁体６２は、湯側領域Ｒｈと水側領域Ｒｃとに区画される。湯側領域Ｒｈは、湯供給孔８０の全体を含む。湯側領域Ｒｈは、第１潤滑剤保持部１０２ａの全体を含む。水側領域Ｒｃは、水供給孔８２の全体を含む。水側領域Ｒｃは、第２潤滑剤保持部１０２ｂの全体を含む。
【００４８】  円Ｃ１は、点ＣＰを中心とし、上開口線８０ａにおいて最も径方向外側に位置する点を通る円である。本実施形態では、円Ｃ１は上開口線８０ａの一部に一致している。円Ｃ２は、点ＣＰを中心とし、上開口線８０ａにおいて最も径方向内側に位置する点を通る円である。
【００４９】  円Ｃ３は、点ＣＰを中心とし、上開口線８２ａにおいて最も径方向外側に位置する点を通る円である。本実施形態では、円Ｃ３は上開口線８２ａの一部に一致している。円Ｃ４は、点ＣＰを中心とし、上開口線８２ａにおいて最も径方向内側に位置する点を通る円である。本実施形態では、円Ｃ３は円Ｃ１と同じである。
【００５０】  湯供給孔８０の周方向延長領域Ｒ１は、円Ｃ１と円Ｃ２との間の領域と定義される。図６では、周方向延長領域Ｒ１が２点鎖線ハッチングで示されている。周方向延長領域Ｒ１は、周方向において水供給孔８２の反対側に延び、直線Ｌ３で終端する。
【００５１】  水供給孔８２の周方向延長領域Ｒ２は、円Ｃ３と円Ｃ４との間の領域と定義される。図６では、周方向延長領域Ｒ２が破線ハッチングで示されている。周方向延長領域Ｒ２は、周方向において湯供給孔８０の反対側に延び、直線Ｌ３で終端する。
【００５２】  潤滑剤保持部１０２の一部は、湯供給孔８０の周方向延長領域Ｒ１に設けられている。潤滑剤保持部１０２の一部は、周方向延長領域Ｒ２に設けられている。
【００５３】  本実施形態では、第１潤滑剤保持部１０２ａの一部が、湯供給孔８０の周方向延長領域Ｒ１に設けられている。凹部１０４ａの一部が、周方向延長領域Ｒ１に設けられている。第１潤滑剤保持部１０２ａの他の部分は、周方向延長領域Ｒ１の外側に位置する。外側接続部１０６ａの全体は、周方向延長領域Ｒ１の外側に位置する。
【００５４】  本実施形態では、第２潤滑剤保持部１０２ｂの一部が、水供給孔８２の周方向延長領域Ｒ２に設けられている。凹部１０４ｂの一部が、周方向延長領域Ｒ２に設けられている。第２潤滑剤保持部１０２ｂの他の部分は、周方向延長領域Ｒ２の外側に位置する。小径外壁部１０６ｂの全体は、周方向延長領域Ｒ２の外側に位置する。
【００５５】  湯供給孔８０の周方向延長領域Ｒ１において、湯供給孔８０と潤滑剤保持部１０２（第１潤滑剤保持部１０２ａ）との間は、第１摺動面ＰＬ１のみで占められている。周方向延長領域Ｒ１において、湯供給孔８０と第１潤滑剤保持部１０２ａとの間に、排出孔８４は存在しない。水供給孔８２の周方向延長領域Ｒ２において、水供給孔８２と潤滑剤保持部１０２（第２潤滑剤保持部１０２ｂ）との間は、第１摺動面ＰＬ１のみで占められている。周方向延長領域Ｒ２において、水供給孔８２と第２潤滑剤保持部１０２ｂとの間に、排出孔８４は存在しない。
【００５６】  直線Ｌ４は、湯供給孔８０と潤滑剤保持部１０２との距離が最短となる位置を示す。直線Ｌ４の長さが、湯供給孔８０と潤滑剤保持部１０２との最短距離Ｄ１である。本実施形態では、距離Ｄ１は、湯供給孔８０と第１潤滑剤保持部１０２ａとの最短距離である。直線Ｌ４は、最短距離線とも称される。最短距離線Ｌ４は、第１摺動面ＰＬ１に引かれている。最短距離線Ｌ４が引かれている部分は、第１摺動面ＰＬ１のみで占められている。
【００５７】  直線Ｌ５は、水供給孔８２と潤滑剤保持部１０２との距離が最短となる位置を示す。直線Ｌ５の長さが、水供給孔８２と潤滑剤保持部１０２との最短距離Ｄ２である。本実施形態では、距離Ｄ２は、水供給孔８２と第２潤滑剤保持部１０２ｂとの最短距離である。直線Ｌ５は、最短距離線とも称される。最短距離線Ｌ５は、第１摺動面ＰＬ１に引かれている。最短距離線Ｌ５が引かれている部分は、第１摺動面ＰＬ１のみで占められている。
【００５８】  潤滑剤保持部１０２は、局所的に幅が小さくされている幅狭部１１０を有する。幅狭部１１０は、角部によって形成されている。第１潤滑剤保持部１０２ａは、幅狭部１１０ａを有する。第２潤滑剤保持部１０２ｂは、幅狭部１１０ｂを有する。
【００５９】  第１潤滑剤保持部１０２ａの幅狭部１１０ａ（の最上点１２６）は、湯供給孔８０の周方向延長領域Ｒ１に位置する。第２潤滑剤保持部１０２ｂの幅狭部１１０ｂ（の最上点１２６）は、水供給孔８２の周方向延長領域Ｒ２に位置する。
【００６０】  図７は、図４のＡ−Ａ線に沿った断面図である。
【００６１】  図３、図４及び図７を参照して、潤滑剤保持部１０２は、傾斜した底面１２０と、第１側面１２２と、第２側面１２４と、角部最上点１２６を有する。底面１２０は、角部最上点１２６に近づくにつれて潤滑剤保持部１０２の深さが小さくなるように傾斜している。側面１２２と底面１２０とが交差した角部によって、幅狭部１１０が形成されている。幅狭部１１０の位置は、角部最上点１２６に近づくにつれて高くなり、角部最上点１２６まで到達している。すなわち、幅狭部１１０は、第１摺動面ＰＬ１に到達している。図７では示されていないが、第２潤滑剤保持部１０２ｂにも、幅狭部１１０、底面１２０、第１側面１２２、第２側面１２４及び角部最上点１２６が形成されている。角部頂点１２６の近傍においては、第１側面１２２と第２側面１２４とが近づいている。第１側面１２２と第２側面１２４との近接によっても、第１摺動面ＰＬ１の近傍における幅狭部１１０が形成されている。
【００６２】  図８は、第２実施形態の湯水混合栓に係る固定弁体１６２の斜視図であり、図９は固定弁体１６２の平面図であり、図１０は固定弁体１６２の底面図である。固定弁体１６２を除き、第２実施形態の湯水混合栓は、第１実施形態の湯水混合栓１０と同じである。
【００６３】  固定弁体１６２は、湯供給孔１８０、水供給孔１８２及び排出孔１８４を有する。湯供給孔１８０は、固定弁体１６２を貫通している。湯供給孔１８０は、上開口線１８０ａを有する。この上開口線１８０ａは、第１摺動面ＰＬ１における湯供給孔１８０の輪郭線である。上開口線１８０ａは、湯供給孔１８０の上開口の輪郭線である。
【００６４】  水供給孔１８２は、上開口線１８２ａを有する。この上開口線１８２ａは、第１摺動面ＰＬ１における水供給孔１８２の輪郭線である。上開口線１８２ａは、水供給孔１８２の上開口の輪郭線である。
【００６５】  排出孔１８４は、上開口線１８４ａを有する。この上開口線１８４ａは、第１摺動面ＰＬ１における排出孔１８４の輪郭線である。上開口線１８４ａは、排出孔１８４の上開口の輪郭線である。
【００６６】  固定弁体１６２の上面には、第１摺動面ＰＬ１が設けられている。第１摺動面ＰＬ１は平面である。前記孔１８０、１８２、１８４及び潤滑剤保持部（後述）が存在していない部分に、第１摺動面ＰＬ１が形成されている。
【００６７】  固定弁体１６２は、外縁２００を有する。湯供給孔１８０の上開口線１８０ａは、外縁２００に至っていない。すなわち、湯供給孔１８０は固定弁体１６２の外側に繋がっていない。湯供給孔１８０の周囲全体が第１摺動面ＰＬ１で囲まれている。水供給孔１８２の上開口線１８２ａは、外縁２００に繋がっていない。すなわち、水供給孔１８２は固定弁体１６２の外側に繋がっていない。水供給孔１８２の周囲全体が第１摺動面ＰＬ１で囲まれている。排出孔１８４の上開口線１８４ａは、外縁２００に繋がっていない。すなわち、排出孔１８４は固定弁体１６２の外側に繋がっていない。排出孔１８４の周囲全体が第１摺動面ＰＬ１で囲まれている。
【００６８】  固定弁体１６２は、潤滑剤保持部２０２を有する。潤滑剤保持部２０２は、固定弁体１６２の上面に設けられている。潤滑剤保持部２０２は、第１摺動面ＰＬ１よりも低い面を形成している。図示されていないが、潤滑剤保持部２０２には、潤滑剤としてグリースが配置されている。
【００６９】  潤滑剤保持部２０２は、第１潤滑剤保持部２０２ａと、第２潤滑剤保持部２０２ｂとを有する。
【００７０】  第１潤滑剤保持部２０２ａは、湯供給孔１８０に近い。第１潤滑剤保持部２０２ａと湯供給孔１８０との最短距離は、第２潤滑剤保持部２０２ｂと湯供給孔１８０との最短距離よりも小さい。第１潤滑剤保持部２０２ａと湯供給孔１８０との最短距離は、第１潤滑剤保持部２０２ａと排出孔１８４との最短距離よりも小さい。第１潤滑剤保持部２０２ａと排出孔１８４との間は、第１摺動面ＰＬ１のみで占められている。
【００７１】  第２潤滑剤保持部２０２ｂは、水供給孔１８２に近い。第２潤滑剤保持部２０２ｂと水供給孔１８２との最短距離は、第１潤滑剤保持部２０２ａと水供給孔１８２との最短距離よりも小さい。第２潤滑剤保持部２０２ｂと水供給孔１８２との最短距離は、第２潤滑剤保持部２０２ｂと排出孔１８４との最短距離よりも小さい。第２潤滑剤保持部２０２ｂと水供給孔１８２との間は、第１摺動面ＰＬ１のみで占められている。
【００７２】  第１潤滑剤保持部２０２ａは、凹部２０４ａを有する。また、第１潤滑剤保持部２０２ａは、外部接続部２０６ａを有する。外部接続部２０６ａは、第１摺動面ＰＬ１よりも低い面を形成しており、外縁２００に繋がっている。凹部２０４ａは外部接続部２０６ａに繋がっている。第１摺動面ＰＬ１からの深さを比較すると、凹部２０４ａは、外側接続部２０６ａよりも深い。
【００７３】  第２潤滑剤保持部２０２ｂは、凹部２０４ｂを有する。また、第２潤滑剤保持部２０２ｂは、外部接続部２０６ｂを有する。外部接続部２０６ｂは、第１摺動面ＰＬ１よりも低い面を形成しており、外縁２００に繋がっている。凹部２０４ｂは外部接続部２０６ｂに繋がっている。第１摺動面ＰＬ１からの深さを比較すると、凹部２０４ｂは、外側接続部２０６ｂよりも深い。
【００７４】  第１潤滑剤保持部２０２ａと第２潤滑剤保持部２０２ｂとは、互いに左右対称の関係にある。平面図（図９）において、第１潤滑剤保持部２０２ａと第２潤滑剤保持部２０２ｂとは互いに線対称の関係にある。
【００７５】  図１１は、固定弁体１６２の拡大平面図である。
【００７６】  前述の固定弁体６２と同じく、固定弁体１６２も、以下の領域（ａ）及び（ｂ）を有する。（ａ）湯供給孔１８０の周方向延長領域Ｒ１（ｂ）水供給孔１８２の周方向延長領域Ｒ２
【００７７】  図１１において符号ＣＰで示されているのは、最小包含円ＭＣ１の中心点である。直線Ｌ１は、点ＣＰと点Ｐ１とを通る直線である。点Ｐ１は、周方向において最も水供給孔１８２側に位置する、上開口線１８０ａ上の点である。直線Ｌ２は、点ＣＰと点Ｐ２とを通る直線である。点Ｐ２は、周方向において最も湯供給孔１８０側に位置する、上開口線１８２ａ上の点である。直線Ｌ３は、点ＣＰを通る直線であって、直線Ｌ１と直線Ｌ２との成す角の２等分線である。
【００７８】  直線Ｌ３は、最小包含円ＭＣ１の直径の一つである。直線Ｌ３は、固定弁体１６２を２つの領域に区画する。直線Ｌ３により、固定弁体１６２は、湯側領域Ｒｈと水側領域Ｒｃとに区画される。湯側領域Ｒｈは、湯供給孔１８０の全体を含む。湯側領域Ｒｈは、第１潤滑剤保持部２０２ａの全体を含む。水側領域Ｒｃは、水供給孔１８２の全体を含む。水側領域Ｒｃは、第２潤滑剤保持部２０２ｂの全体を含む。
【００７９】  円Ｃ１は、点ＣＰを中心とし、上開口線１８０ａにおいて最も径方向外側に位置する点を通る円である。本実施形態では、円Ｃ１は上開口線１８０ａの一部に一致している。円Ｃ２は、点ＣＰを中心とし、上開口線１８０ａにおいて最も径方向内側に位置する点を通る円である。本実施形態では、円Ｃ２は上開口線１８０ａの一部に一致している。
【００８０】  円Ｃ３は、点ＣＰを中心とし、上開口線１８２ａにおいて最も径方向外側に位置する点を通る円である。本実施形態では、円Ｃ３は上開口線１８２ａの一部に一致している。円Ｃ４は、点ＣＰを中心とし、上開口線１８２ａにおいて最も径方向内側に位置する点を通る円である。本実施形態では、円Ｃ４は上開口線１８２ａの一部に一致している。本実施形態では、円Ｃ３は円Ｃ１と同じであり、円Ｃ４は円Ｃ２と同じである。
【００８１】  前述の通り、湯供給孔１８０の周方向延長領域Ｒ１は、円Ｃ１と円Ｃ２との間の領域である。図１１では、周方向延長領域Ｒ１が２点鎖線ハッチングで示されている。
【００８２】  前述の通り、水供給孔１８２の周方向延長領域Ｒ２は、円Ｃ３と円Ｃ４との間の領域である。図１１では、周方向延長領域Ｒ２が破線ハッチングで示されている。
【００８３】  潤滑剤保持部２０２の一部は、湯供給孔１８０の周方向延長領域Ｒ１に設けられている。潤滑剤保持部２０２の一部は、水供給孔１８２の周方向延長領域Ｒ２に設けられている。
【００８４】  本実施形態では、第１潤滑剤保持部２０２ａの一部が、湯供給孔１８０の周方向延長領域Ｒ１に設けられている。凹部２０４ａの一部が、周方向延長領域Ｒ１に設けられている。第１潤滑剤保持部２０２ａの他の部分は、周方向延長領域Ｒ１の外側に位置する。外側接続部２０６ａの全体は、周方向延長領域Ｒ１の外側に位置する。
【００８５】  本実施形態では、第２潤滑剤保持部２０２ｂの一部が、水供給孔１８２の周方向延長領域Ｒ２に設けられている。凹部２０４ｂの一部が、周方向延長領域Ｒ２に設けられている。第２潤滑剤保持部２０２ｂの他の部分は、周方向延長領域Ｒ２の外側に位置する。外側接続部２０６ｂの全体は、周方向延長領域Ｒ２の外側に位置する。
【００８６】  湯供給孔１８０の周方向延長領域Ｒ１において、湯供給孔１８０と潤滑剤保持部２０２（第１潤滑剤保持部２０２ａ）との間は、第１摺動面ＰＬ１のみで占められている。周方向延長領域Ｒ１において、湯供給孔１８０と第１潤滑剤保持部２０２ａとの間に、排出孔１８４は存在しない。水供給孔１８２の周方向延長領域Ｒ２において、水供給孔１８２と潤滑剤保持部２０２（第２潤滑剤保持部２０２ｂ）との間は、第１摺動面ＰＬ１のみで占められている。周方向延長領域Ｒ２において、水供給孔１８２と第２潤滑剤保持部２０２ｂとの間に、排出孔１８４は存在しない。
【００８７】  直線Ｌ４は、湯供給孔１８０と潤滑剤保持部２０２との距離が最短となる位置を示す。直線Ｌ４の長さが、湯供給孔１８０と潤滑剤保持部２０２との最短距離Ｄ１である。本実施形態では、距離Ｄ１は、湯供給孔１８０と第１潤滑剤保持部２０２ａとの最短距離である。直線Ｌ５は、水供給孔１８２と潤滑剤保持部２０２との距離が最短となる位置を示す。直線Ｌ５の長さが、水供給孔１８２と潤滑剤保持部２０２との最短距離Ｄ２である。本実施形態では、距離Ｄ２は、水供給孔１８２と第２潤滑剤保持部２０２ｂとの最短距離である。
【００８８】  潤滑剤保持部２０２は、局所的に幅が小さくされている幅狭部２１０を有する。幅狭部２１０は、溝によって形成されている。第１潤滑剤保持部２０２ａは、幅狭部２１０ａを有する。第２潤滑剤保持部２０２ｂは、幅狭部２１０ｂを有する。
【００８９】  第１潤滑剤保持部２０２ａの幅狭部２１０ａは、周方向延長領域Ｒ１に設けられている幅狭部２１２ａを有する。第２潤滑剤保持部２０２ｂの幅狭部２１０ｂは、水供給孔１８２の周方向延長領域Ｒ２に設けられている幅狭部２１２ｂを有する。
【００９０】  図１２は、図９のＡ−Ａ線に沿った断面図である。潤滑剤保持部２０２は、底面２１４と側面２１６とを有している。側面２１６は、底面２１４と第１摺動面ＰＬ１との間に延びている。溝によって形成された幅狭部２１０は、第１摺動面ＰＬ１から下側に向かって延びている。幅狭部２１０は、側面２１６に設けられている。幅狭部２１０は、第１摺動面ＰＬ１から、底面２１４にまで延びている。
【００９１】  図１３は、幅狭部２１０の拡大断面図である。この断面は、第１摺動面ＰＬ１に平行である。
【００９２】  前述の通り、幅狭部２１０は、溝である。幅狭部２１０は、深さＦ１ｍｍの位置における幅Ｗ１を有する。Ｆ１ｍｍは、０．０３ｍｍとされうる。幅Ｗ１は、第１摺動面ＰＬ１と平行な断面において測定される。この断面において、幅狭部２１０の第１端点Ｅ１及び第２端点Ｅ２と、第１端点Ｅ１と第２端点Ｅ２とを結ぶ直線Ｌ６とが決定される。幅Ｗ１は、直線Ｌ６と平行な方向に沿って測定される。深さＦ１は、直線Ｌ６に垂直な方向に沿って測定される。幅狭部２１０は、幅Ｗ２を有する。幅Ｗ２は、第１端点Ｅ１と第２端点Ｅ２とを結ぶ線分の長さである。幅Ｗ２は、第１摺動面ＰＬ１と平行な断面において測定される。幅狭部２１０において、幅Ｗ２は溝幅（溝の開口幅）である。幅狭部２１０は、深さＦ２を有する。幅狭部２１０において、深さＦ２は溝深さである。深さＦ２は、直線Ｌ６に垂直な方向に沿って測定される。
【００９３】  上記断面図において、第１端点Ｅ１及び第２端点Ｅ２は、エッジである。丸みにより第１端点Ｅ１が不明確である場合、曲率半径が最小である部分の中心点が、第１端点Ｅ１とされうる。同様に、丸みにより第２端点Ｅ２が不明確である場合、曲率半径が最小である部分の中心点が、第２端点Ｅ２とされうる。
【００９４】  図１４は、幅狭部１１０の拡大断面図である。この断面は、第１摺動面ＰＬ１に平行である。
【００９５】  前述の通り、幅狭部１１０は、溝ではなく、角部である。幅狭部１１０は、深さＦ１ｍｍの位置における幅Ｗ１を有する。Ｆ１ｍｍは、０．０３ｍｍとされうる。幅Ｗ１は、第１摺動面ＰＬ１と平行な断面において測定される。
【００９６】  この幅狭部１１０は、図１３に示される第１端点Ｅ１及び第２端点Ｅ２を有さない。この場合、最低点Ｐ３と、最低点Ｐ３における接線Ｌ７と、この接線Ｌ７に平行であり且つ接線Ｌ７との距離Ｆ１が０．０３ｍｍである直線Ｌ８が決定される。直線Ｌ８と断面線ＳＬとの交点Ｐ４、Ｐ５が決定される。点Ｐ４と点Ｐ５との間の距離が、上記幅Ｗ１と定義される。
【００９７】  最低点Ｐ３は、曲率半径が最小である部分の中点とされうる。本実施形態では、この最小の曲率半径が０．１ｍｍであり、接線Ｌ７を引くことができる。最低点Ｐ３が角の頂点である場合、断面線ＳＬの接線としての接線Ｌ７は定義できない。この場合、点Ｐ３の一方側に位置し且つ点Ｐ３からの道のりが０．０３ｍｍである点Ｐ６と、点Ｐ３の他方側に位置し且つ点Ｐ３からの道のりが０．０３ｍｍである点Ｐ７とが決定されうる。点Ｐ３、Ｐ６及びＰ７の３点を通る円が決定され、点Ｐ３におけるこの円の接線が、接線Ｌ７と見なされる。なお、道のりとは、断面線ＳＬに沿って測定される距離である。
【００９８】  以上のように、第１及び第２実施形態では、潤滑剤保持部の少なくとも一部が、湯供給孔の周方向延長領域Ｒ１と、水供給孔の周方向延長領域Ｒ２とに設けられている。
【００９９】  吐水状態では、湯供給孔及び水供給孔の周囲において水流が強く、且つこの周囲は水流に直面する機会が多い。よって、湯供給孔及び水供給孔の周囲で、第１摺動面ＰＬ１上の潤滑剤が流出しやすい。吐水状態では、可動弁体の湯水混合凹部が、湯供給孔及び／又は水供給孔と、排出孔とに跨がって重なる。このため、湯供給孔と排出孔との間、及び、水供給孔と排出孔との間、及び、湯供給孔と水供給孔との間では、第１摺動面ＰＬ１上の潤滑剤が特に流出しやすい。図６の実施形態で言えば、湯供給孔８０の径方向内側の領域、水供給孔８２の径方向内側の領域、及び、湯供給孔８０と水供給孔８２との間の領域において、潤滑剤が特に流出しやすい。これらの部分は、可動弁体６０との間で頻繁に摺動する部分であり、潤滑剤が無い場合には摩耗しやすい部分でもある。またこれらの領域は湯供給孔及び水供給孔に近く、高い水圧が作用しやすい。これらの領域で摩耗が生じれば、水漏れが起こりやすい。
【０１００】  潤滑剤保持部の少なくとも一部が、湯供給孔の周方向延長領域Ｒ１と、水供給孔の周方向延長領域Ｒ２とに設けられることで、潤滑剤が流出しやすい部分に、潤滑剤が効果的に供給される。前述の通り、レバーハンドルの前後回動により、可動弁体は固定弁体に対して移動し、レバーハンドルの左右回動により、可動弁体は固定弁体に対して回転する。これらの相対移動及び相対回転により、周方向延長領域Ｒ１及び周方向延長領域Ｒ２に供給された潤滑剤は、第１摺動面ＰＬ１における、湯供給孔及び水供給孔の周囲の領域に移動しやすい。周方向延長領域Ｒ１に供給された潤滑剤は、第１摺動面ＰＬ１における、湯供給孔の径方向内側の領域に移動しやすい。また、周方向延長領域Ｒ２に供給された潤滑剤は、第１摺動面ＰＬ１における、水供給孔の径方向内側の領域に移動しやすい。したがって、潤滑剤が流出しやすい部位に、潤滑剤が効果的に供給される。
【０１０１】  図６の実施形態では、周方向延長領域Ｒ１において、湯供給孔８０と第１潤滑剤保持部１０２ａとの間は、第１摺動面ＰＬ１のみで占められている。図１１の実施形態でも、周方向延長領域Ｒ１において、湯供給孔１８０と第１潤滑剤保持部２０２ａとの間は、第１摺動面ＰＬ１のみで占められている。よって、潤滑剤保持部からの潤滑剤が円滑に湯供給孔の周囲に到達しうる。
【０１０２】  図６の実施形態では、周方向延長領域Ｒ２において、水供給孔８２と第２潤滑剤保持部１０２ｂとの間は、第１摺動面ＰＬ１のみで占められている。図１１の実施形態でも、周方向延長領域Ｒ２において、水供給孔１８２と第２潤滑剤保持部２０２ｂとの間は、第１摺動面ＰＬ１のみで占められている。よって、潤滑剤保持部からの潤滑剤が円滑に水供給孔の周囲に到達しうる。
【０１０３】  幅狭部は、毛細管現象を起こす。幅狭部では、潤滑剤保持部の他の部分に比べて、毛細管現象が促進されている。幅狭部は、毛細管現象により、潤滑剤を上側に引き上げる。潤滑剤が減少し、潤滑剤保持部内において潤滑剤の上面の位置が下がってくると、潤滑剤が第１摺動面ＰＬ１に供給されにくくなる。しかし、毛細管現象を利用することで、潤滑剤の上面の位置が下がっていても、潤滑剤が第１摺動面ＰＬ１に効率よく供給されうる。
【０１０４】  このように、潤滑剤保持部は、当該潤滑剤保持部の他の部分に比較して潤滑剤を第１摺動面ＰＬ１側に引き上げる毛細管現象を起こしやすい毛細管現象促進部を有する。幅狭部１１０、２１０は、この毛細管現象促進部の一例である。
【０１０５】  図６の実施形態では、幅狭部１１０ａが湯供給孔８０の周方向延長領域Ｒ１に設けられた湯側幅狭部であり、幅狭部１１０ｂが水供給孔８２の周方向延長領域Ｒ２に設けられた水側幅狭部である。図１１の実施形態では、幅狭部２１２ａが湯供給孔１８０の周方向延長領域Ｒ１に設けられた湯側幅狭部であり、幅狭部２１２ｂが水供給孔１８２の周方向延長領域Ｒ２に設けられた水側幅狭部である。幅狭部が湯供給孔の周方向延長領域Ｒ１に設けられることで、潤滑剤が流出しやすい領域への潤滑剤の供給効率が更に高まる。同様に、幅狭部が水供給孔の周方向延長領域Ｒ２に設けられることで、潤滑剤が流出しやすい領域への潤滑剤の供給効率が更に高まる。また、幅狭部により、所望の位置に潤滑剤が供給できるので、狙った箇所に集中的に潤滑剤を供給することができる。
【０１０６】  図６の実施形態では、第１潤滑剤保持部１０２ａは、凹部１０４ａと外側接続部１０６ａとを有する。凹部１０４ａは深いため、多くの潤滑剤を保持することができる。また、凹部１０４ａに幅狭部１１０ａが設けられているので、潤滑剤が減少して潤滑剤の上面と第１摺動面ＰＬ１との高さの差が大きくなった場合でも、毛細管現象により、潤滑剤が効果的に供給されうる。外側接続部１０６ａは、第１潤滑剤保持部１０２ａの領域を広くし、第１潤滑剤保持部１０２ａに保持される潤滑剤の量を多くするのに寄与している。外側接続部１０６ａが外縁１００にまで至っていることで、外側接続部１０６ａの面積が拡張されている。外側接続部１０６ａは凹部１０４ａに繋がっているので、外側接続部１０６ａに配置された潤滑剤は、凹部１０４ａ内に順次供給される。このため、長期間に亘る潤滑剤の供給が可能となる。これらの効果は、第２潤滑剤保持部１０２ｂでも同じである。
【０１０７】  固定弁体の表面の界面張力は、潤滑剤の界面張力よりも大きい。幅狭部では、毛細管現象によって効率よく潤滑剤が引き上げられる。
【０１０８】  図６及び図１１が示すように、湯供給孔と潤滑剤保持部との最短距離がＤ１とされ、水供給孔と潤滑剤保持部との最短距離がＤ２とされる。湯供給孔の周囲と水供給孔の周囲とにバランスよく潤滑剤を供給する観点から、Ｄ１／Ｄ２は、０．５以上が好ましく、０．７以上がより好ましく、０．９以上がより好ましい。湯供給孔の周囲と水供給孔の周囲とにバランスよく潤滑剤を供給する観点から、Ｄ１／Ｄ２は、２以下が好ましく、１．５以下がより好ましく、１．２以下がより好ましい。図６の実施形態では、Ｄ１／Ｄ２は１である。図１１の実施形態では、Ｄ１／Ｄ２は１であった。
【０１０９】  湯供給孔の近傍に効率よく潤滑剤を供給する観点から、最短距離Ｄ１は、７ｍｍ以下が好ましく、５ｍｍ以下がより好ましく、３．５ｍｍ以下がより好ましく、３．０ｍｍ以下がより好ましく、２．５ｍｍ以下がより好ましい。第１摺動面ＰＬ１の幅を確保して水漏れを防止する観点から、最短距離Ｄ１は、０．５ｍｍ以上が好ましく、１．０ｍｍ以上がより好ましく、１．５ｍｍ以上が更に好ましい。図６の実施形態では、最短距離Ｄ１は１．９５ｍｍである。図１１の実施形態では、最短距離Ｄ１は１．９５ｍｍであった。
【０１１０】  水供給孔の近傍に効率よく潤滑剤を供給する観点から、最短距離Ｄ２は、７ｍｍ以下が好ましく、５ｍｍ以下がより好ましく、３．５ｍｍ以下がより好ましく、３．０ｍｍ以下がより好ましく、２．５ｍｍ以下がより好ましい。第１摺動面ＰＬ１の幅を確保して水漏れを防止する観点から、最短距離Ｄ２は、０．５ｍｍ以上が好ましく、１．０ｍｍ以上がより好ましく、１．５ｍｍ以上が更に好ましい。図６の実施形態では、最短距離Ｄ２は１．９５ｍｍである。図１１の実施形態では、最短距離Ｄ２は１．９５ｍｍであった。
【０１１１】  幅狭部と湯供給孔との最短距離がＤ３とされる。図６の実施形態では、最短距離Ｄ３は、最短距離Ｄ１に一致している。図１１の実施形態でも、最短距離Ｄ３は、最短距離Ｄ１に一致している。
【０１１２】  湯供給孔の径方向内側の部分に潤滑剤を供給する観点から、最短距離Ｄ３は、７ｍｍ以下が好ましく、５ｍｍ以下がより好ましく、３．５ｍｍ以下がより好ましく、３．０ｍｍ以下がより好ましく、２．５ｍｍ以下がより好ましい。第１摺動面ＰＬ１の幅を確保して水漏れを抑制する観点から、最短距離Ｄ３は、０．５ｍｍ以上が好ましく、１．０ｍｍ以上がより好ましく、１．５ｍｍ以上が更に好ましい。
【０１１３】  幅狭部と水供給孔との最短距離がＤ４とされる。図６の実施形態では、最短距離Ｄ４は、最短距離Ｄ２に一致している。図１１の実施形態でも、最短距離Ｄ４は、最短距離Ｄ２に一致している。
【０１１４】  水供給孔の径方向内側の部分に潤滑剤を供給する観点から、最短距離Ｄ４は、７ｍｍ以下が好ましく、５ｍｍ以下がより好ましく、３．５ｍｍ以下がより好ましく、３．０ｍｍ以下がより好ましく、２．５ｍｍ以下がより好ましい。第１摺動面ＰＬ１の幅を確保して水漏れを抑制する観点から、最短距離Ｄ４は、０．５ｍｍ以上が好ましく、１．０ｍｍ以上がより好ましく、１．５ｍｍ以上が更に好ましい。
【０１１５】  図１１が示すように、複数の幅狭部２１０のうち、湯供給孔１８０に最も近い幅狭部２１０は、周方向延長領域Ｒ１に設けられている。また、複数の幅狭部２１０のうち、水供給孔１８２に最も近い幅狭部２１０は、周方向延長領域Ｒ２に設けられている。よって、湯供給孔８０及び水供給孔８２の周囲に効率よく潤滑剤が供給されうる。
【０１１６】  第１摺動面ＰＬ１の面積がＭ１とされる。面積Ｍ１は、第２摺動面ＰＬ２と接触しうる接触部と面一である平面の全体面積である。潤滑剤保持部の面積がＭ２とされる。図６及び図１１の実施形態のように、複数の潤滑剤保持部が存在する場合、面積Ｍ２は、それらの潤滑剤保持部の面積の合計である。面積Ｍ１及び面積Ｍ２は、図６及び図１１のような平面図において測定される。
【０１１７】  潤滑剤保持部に保持されうる潤滑剤の量を増やす観点から、Ｍ２／Ｍ１は、０．０５以上が好ましく、０．１以上がより好ましく、０．１５以上がより好ましく、０．２０以上がより好ましい。第１摺動面ＰＬ１の面積を確保して水漏れを抑制する観点から、Ｍ２／Ｍ１は、０．４０以下が好ましく、０．３５以下がより好ましく、０．３０以下が更に好ましい。図６の実施形態では、Ｍ２／Ｍ１は０．２５とされた。図１１の実施形態では、Ｍ２／Ｍ１は０．２５とされた。
【０１１８】  上述の実施形態のように第１及び第２の潤滑剤保持部が設けられる場合、潤滑剤を長期に亘って供給する観点から、各潤滑剤保持部の面積は大きいのが好ましい。
【０１１９】  第１潤滑剤保持部の面積がＭ３とされ、第２潤滑剤保持部の面積がＭ４とされる。面積Ｍ３及び面積Ｍ４は、図６及び図１１のような平面図において測定される。単独の潤滑剤保持部に保持されうる潤滑剤の量を増やす観点から、Ｍ３／Ｍ１は、０．０１以上が好ましく、０．０３以上がより好ましく、０．０５以上がより好ましく、０．０７以上がより好ましい。第１摺動面ＰＬ１の面積を確保して水漏れを抑制する観点から、Ｍ３／Ｍ１は、０．２０以下が好ましく、０．１８以下がより好ましく、０．１５以下が更に好ましい。単独の潤滑剤保持部に保持されうる潤滑剤の量を増やす観点から、Ｍ４／Ｍ１は、０．０１以上が好ましく、０．０３以上がより好ましく、０．０５以上がより好ましく、０．０７以上がより好ましい。第１摺動面ＰＬ１の面積を確保して水漏れを抑制する観点から、Ｍ４／Ｍ１は、０．２０以下が好ましく、０．１８以下がより好ましく、０．１５以下が更に好ましい。図６の実施形態では、Ｍ３／Ｍ１及びＭ４／Ｍ１は０．１３とされた。図１１の実施形態では、Ｍ３／Ｍ１及びＭ４／Ｍ１は０．１３とされた。
【０１２０】  前述の通り、図１３及び図１４には、幅Ｗ１が示されている。毛細管現象を高める観点から、深さＦ１＝０．０３ｍｍの位置における幅狭部の幅Ｗ１は、０．７ｍｍ以下が好ましく、０．５ｍｍ以下がより好ましく、０．４５ｍｍ以下がより好ましく、０．４ｍｍ以下がより好ましい。潤滑剤の供給量を考慮すると、幅Ｗ１は、０．２ｍｍ以上が好ましく、０．２５ｍｍ以上がより好ましく、０．３ｍｍ以上が更に好ましい。図６の実施形態では、幅Ｗ１は０．３４ｍｍとされた。図１１の実施形態では、幅Ｗ１は０．３４ｍｍとされた。
【０１２１】  毛細管現象を高める観点から、幅狭部の幅Ｗ２は、１．０ｍｍ以下が好ましく、０．９ｍｍ以下がより好ましく、０．８ｍｍ以下が更に好ましい。潤滑剤の供給量を考慮すると、幅Ｗ２は、０．４ｍｍ以上が好ましく、０．５ｍｍ以上がより好ましく、０．６ｍｍ以上が更に好ましい。図１１の実施形態では、幅Ｗ２は０．７ｍｍとされた。
【０１２２】  毛細管現象を高める観点から、幅狭部の深さＦ２は、０．０８ｍｍ以上が好ましく、０．１０ｍｍ以上がより好ましく、０．１２ｍｍ以上が更に好ましい。固定弁体の成形性を考慮すると、深さＦ２が過大となるのは好ましくない。この観点から、深さＦ２は、０．２ｍｍ以下が好ましく、０．１８ｍｍ以下がより好ましく、０．１６ｍｍ以下が更に好ましい。図１１の実施形態では、深さＦ２は０．１４ｍｍとされた。
【０１２３】  固定弁体の材質が表面に露出している場合、固定弁体の表面の界面張力は、潤滑剤（グリース等）の界面張力よりも大きい。この構成は、潤滑剤を引き上げる毛細管現象を促進している。
【０１２４】  潤滑剤保持部が、固定弁体の材質よりも界面張力が低い表面皮膜を有しており、前記表面皮膜が、幅狭部以外の部分に設けられていてもよい。この構成では、幅狭部の表面は固定弁体の材質で構成されているので、表面皮膜の界面張力が、幅狭部の界面張力よりも低くなる。この結果、潤滑剤は、表面被膜よりも幅狭部に優先的に付着しやすくなり、幅狭部からの潤滑剤の供給が促進されうる。潤滑剤保持部において、表面被膜は、幅狭部以外の部分の全体に設けられてもよい。潤滑剤保持部において、表面被膜は、幅狭部以外の部分の一部に設けられてもよい。表面被膜として、例えば、ポリテトラフルオロエチレン、パーフルオロアルコキシアルカン、パーフルオロエチレンプロペンコポリマー、ポリクロロトリフルオロエチレン、ポリフッ化ビニリデン、ポリフッ化ビニル等のフッ素樹脂が挙げられる。界面張力が小さいとの観点から、ポリテトラフルオロエチレン、パーフルオロアルコキシアルカン及びパーフルオロエチレンプロペンコポリマーが好ましい。
【０１２５】  幅狭部への潤滑剤の付着を促進する観点から、上記表面被膜の界面張力は、潤滑剤の界面張力よりも小さいのがより好ましい。
【０１２６】  上記潤滑剤保持部を有する固定弁体の製造方法として、以下の工程を含む製造方法が例示される。この方法では、幅狭部が表面被膜を有さない固定弁体が容易に作製されうる。（１）幅狭部を有さない潤滑剤保持部を有する固定弁体を成形する第１工程。（２）前記第１工程で形成された潤滑剤保持部の表面に表面被膜を形成する第２工程。（３）前記第２工程で得られた、表面被膜を有する潤滑剤保持部を部分的に切削して、幅狭部を形成する第３工程。
【０１２７】  潤滑剤は限定されず、ワックス及びグリースが挙げられる。界面張力が小さい潤滑剤が好ましい。この観点から、シリコーングリースが好ましい。
【０１２８】  潤滑剤保持部の深さを大きくすることで、保持されうる潤滑剤の量を増やすことができる。また、幅狭部を設けることで、潤滑剤の減少時において当該潤滑剤の上面から第１摺動面ＰＬ１までの高さが増大しても、潤滑剤が供給されうる。この観点から、潤滑剤保持部の深さ（最大深さ）は、１．０ｍｍ以上が好ましく、１．１ｍｍ以上がより好ましく、１．２ｍｍ以上が更に好ましい。固定弁体の厚み及び強度を考慮すると、潤滑剤保持部の深さ（最大深さ）は、１．６ｍｍ以下が好ましく、１．５ｍｍ以下がより好ましく、１．４ｍｍ以下が更に好ましい。この深さは、第１摺動面ＰＬ１に対して垂直な方向に沿って測定される。
【０１２９】  局所的に幅が狭くされている限り、幅狭部の構成は限定されない。幅狭部の構成として、以下が例示される。・［構成１］：溝・［構成２］：谷部・［構成３］：角部・［構成４］：２つの面同士が近接した近接部・［構成５］：前記構成１から４からなる群から選択される２以上の組み合わせ
【０１３０】  前記構成１に関して、溝の断面形状は限定されない。溝は、底面及び両側面を有していても良い。溝は、断面形状がＶ字型、Ｕ字型、円弧形等である場合のように、底面を有しなくても良い。潤滑剤保持部が第１摺動面ＰＬ１に対して垂直な側面を有しており、溝がこの垂直な側面に形成されてもよい。潤滑剤保持部が第１摺動面ＰＬ１に対して傾斜した斜面を有しており、溝がこの斜面に形成されてもよい。
【０１３１】  前記構成２に関して、谷部は、当該谷部の最下点の位置が第１摺動面ＰＬ１に向かって徐々に高くなるように形成されていてもよい。
【０１３２】  前記構成３に関して、角部は、潤滑剤保持部に形成された第１側面と第２側面とが交差することによって形成されていてもよい。潤滑剤保持部が傾斜した底面と側面とを有しており、この傾斜した底面と側面とが交差することによって角部が形成されていてもよい。角部は、第１摺動面ＰＬ１に対して垂直な方向に延在していてもよいし、第１摺動面ＰＬ１に対して傾斜した方向に延在していてもよい。この角部は、谷部の一種でもある。
【０１３３】  前記構成４に関して、例えば、潤滑剤保持部が第１側面と第２側面とを有している場合、それらが互いに交差していなくても、互いに近接していれば、幅狭部となりうる。この場合、第１側面と第２側面とが第３面に交差しており、当該第３面を底面とする溝状部が形成されていてもよい。
【０１３４】  固定弁体の材質として、樹脂（繊維強化樹脂を含む）、金属及びセラミックが例示される。可動弁体（下側部材）との摺動における耐摩耗性の観点から、セラミックが好ましい。このセラミックは、水に対する腐食性、強度及び耐久性に優れる観点からも好ましい。好ましいセラミックとして、酸化アルミニウム（アルミナ）及び炭化ケイ素（ＳｉＣ）が例示される。上記実施形態では、セラミック（アルミナ）が用いられた。
【０１３５】  可動弁体の下側部材の材質として、樹脂（繊維強化樹脂を含む）、金属及びセラミックが例示される。固定弁体との摺動における耐摩耗性の観点から、セラミックが好ましい。このセラミックは、水に対する腐食性、強度及び耐久性の観点からも好ましい。上記実施形態では、セラミック（アルミナ）が用いられた。
【０１３６】  毛細管現象を利用する箇所は、より粗面であることが望ましい。粗面にすることで、表面積が増大し、見かけの界面張力が増大する。したがって、粗面にすることで、毛細管現象を利用した潤滑剤の供給が促進されうる。この観点から、幅狭部の算術平均粗さＲａは、０．５μｍ以上が好ましく、０．７μｍ以上がより好ましく、０．９μｍ以上がより好ましい。加工の困難性を考慮すると、幅狭部の算術平均粗さＲａは、１．５μｍ以下が好ましく、１．３μｍ以下がより好ましく、１．１μｍ以下がより好ましい。毛細管現象の観点から、幅狭部の算術平均粗さＲａは、第１摺動面ＰＬ１の算術平均粗さＲａよりも大きいのが好ましい。潤滑剤保持部において、幅狭部の算術平均粗さＲａが、幅狭部以外の少なくとも一部の算術平均粗さＲａよりも大きくされてもよい。算術平均粗さＲａは、ＪＩＳ  Ｂ  ０６０１−２００１に規定されている。
【０１３７】  上述した実施形態に関して、以下の付記を開示する。［付記１］  固定弁体と可動弁体とを備えており、  前記固定弁体が、湯供給孔と、水供給孔と、排出孔と、前記可動弁体が摺動する第１摺動面と、前記第１摺動面に隣接する潤滑剤保持部とを有しており、  前記可動弁体が、前記第１摺動面と摺動する第２摺動面と、湯水混合凹部とを有しており、  前記潤滑剤保持部の少なくとも一部が、次の（ａ）及び（ｂ）に設けられており、（ａ）前記湯供給孔の周方向延長領域（ｂ）前記水供給孔の周方向延長領域  前記湯供給孔の周方向延長領域において、前記湯供給孔と前記潤滑剤保持部との間が、前記第１摺動面のみで占められており、  前記水供給孔の周方向延長領域において、前記水供給孔と前記潤滑剤保持部との間が、前記第１摺動面のみで占められている湯水混合栓。［付記２］  前記潤滑剤保持部が、局所的に幅が小さくされている幅狭部を有しており、  前記幅狭部が、前記第１摺動面から下側に向かって延びている付記１に記載の湯水混合栓。［付記３］  前記幅狭部が、前記湯供給孔の周方向延長領域に設けられている湯側幅狭部と、前記水供給孔の周方向延長領域に設けられている水側幅狭部とを有している付記２に記載の湯水混合栓。［付記４］  前記潤滑剤保持部が、前記固定弁体の材質よりも界面張力が低い表面皮膜を有しており、  前記表面皮膜が、前記幅狭部以外の部分に設けられている付記２又は３に記載の湯水混合栓。［付記５］  深さ０．０３ｍｍの位置における前記幅狭部の幅Ｗ１が、０．７ｍｍ以下である付記１から４のいずれか１項に記載の湯水混合栓。［付記６］  固定弁体と可動弁体とを備えており、  前記固定弁体が、湯供給孔と、水供給孔と、排出孔と、前記可動弁体が摺動する第１摺動面と、前記第１摺動面に隣接する潤滑剤保持部とを有しており、  前記可動弁体が、前記第１摺動面と摺動する第２摺動面と、湯水混合凹部とを有しており、  前記潤滑剤保持部が、局所的に幅が小さくされている幅狭部を有しており、  前記幅狭部が、前記第１摺動面から下側に向かって延びている湯水混合栓。［付記７］  前記湯供給孔と前記潤滑剤保持部との最短距離がＤ１とされ、前記水供給孔と前記潤滑剤保持部との最短距離がＤ２とされるとき、Ｄ１／Ｄ２が０．５以上２以下である付記１から６のいずれか１項に記載の湯水混合栓。［付記８］  前記最短距離Ｄ１が０．５ｍｍ以上７ｍｍ以下であり、前記最短距離Ｄ２が０．５ｍｍ以上７ｍｍ以下である付記７に記載の湯水混合栓。［付記９］  前記第１摺動面の面積がＭ１とされ、前記潤滑剤保持部の面積がＭ２とされるとき、Ｍ２／Ｍ１が０．０５以上０．４０以下である付記１から８のいずれか１項に記載の湯水混合栓。
【０１３８】  本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【０１３９】  上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【符号の説明】
【０１４０】  １０・・・湯水混合栓  １４・・・レバーハンドル  １６・・・吐出部  １８・・・湯導入管  ２０・・・水導入管  ２２・・・吐出管  ３８・・・バルブ組立体  ４４・・・回動体  ４６・・・レバー  ４８・・・レバー回転軸  ６０・・・可動弁体  ６２、１６２・・・固定弁体  ８０、１８０・・・湯供給孔  ８２、１８２・・・水供給孔  ８４、１８４・・・排出孔  １００、２００・・・固定弁体の外縁  １０２、２０２・・・潤滑剤保持部  １１０、２１０・・・幅狭部  Ｒ１・・・湯供給孔の周方向延長領域  Ｒ２・・・水供給孔の周方向延長領域  ＰＬ１・・・第１摺動面  ＰＬ２・・・第２摺動面  ＰＬ３・・・摺動合わせ面
【図１】
2020044514.tif 000003
【図２】
2020044514.tif 000004
【図３】
2020044514.tif 000005
【図４】
2020044514.tif 000006
【図５】
2020044514.tif 000007
【図６】
2020044514.tif 000008
【図７】
2020044514.tif 000009
【図８】
2020044514.tif 000010
【図９】
2020044514.tif 000011
【図１０】
2020044514.tif 000012
【図１１】
2020044514.tif 000013
【図１２】
2020044514.tif 000014
【図１３】
2020044514.tif 000015
【図１４】
2020044514.tif 000016
【手続補正書】
【提出日】令和3年2月3日(2021.2.3)
【手続補正１】
【補正対象書類名】明細書
【補正対象項目名】００５４
【補正方法】変更
【補正の内容】
【００５４】
本実施形態では、第２潤滑剤保持部１０２ｂの一部が、水供給孔８２の周方向延長領域Ｒ２に設けられている。凹部１０４ｂの一部が、周方向延長領域Ｒ２に設けられている。第２潤滑剤保持部１０２ｂの他の部分は、周方向延長領域Ｒ２の外側に位置する。外側接続部１０６ｂの全体は、周方向延長領域Ｒ２の外側に位置する。
【手続補正２】
【補正対象書類名】明細書
【補正対象項目名】００６１
【補正方法】変更
【補正の内容】
【００６１】
図３、図４及び図７を参照して、潤滑剤保持部１０２は、傾斜した底面１２０と、第１側面１２２と、第２側面１２４と、角部最上点１２６を有する。底面１２０は、角部最上点１２６に近づくにつれて潤滑剤保持部１０２の深さが小さくなるように傾斜している。側面１２２と底面１２０とが交差した角部によって、幅狭部１１０が形成されている。幅狭部１１０の位置は、角部最上点１２６に近づくにつれて高くなり、角部最上点１２６まで到達している。すなわち、幅狭部１１０は、第１摺動面ＰＬ１に到達している。図７では示されていないが、第２潤滑剤保持部１０２ｂにも、幅狭部１１０、底面１２０、第１側面１２２、第２側面１２４及び角部最上点１２６が形成されている。角部最上点１２６の近傍においては、第１側面１２２と第２側面１２４とが近づいている。第１側面１２２と第２側面１２４との近接によっても、第１摺動面ＰＬ１の近傍における幅狭部１１０が形成されている。
【手続補正３】
【補正対象書類名】明細書
【補正対象項目名】０１３７
【補正方法】変更
【補正の内容】
【０１３７】
上述した実施形態に関して、以下の付記を開示する。
［付記１］
固定弁体と可動弁体とを備えており、
前記固定弁体が、湯供給孔と、水供給孔と、排出孔と、前記可動弁体が摺動する第１摺動面と、前記第１摺動面に隣接する潤滑剤保持部とを有しており、
前記可動弁体が、前記第１摺動面と摺動する第２摺動面と、湯水混合凹部とを有しており、
前記潤滑剤保持部の少なくとも一部が、次の（ａ）及び（ｂ）に設けられており、
（ａ）前記湯供給孔の周方向延長領域
（ｂ）前記水供給孔の周方向延長領域
前記湯供給孔の周方向延長領域において、前記湯供給孔と前記潤滑剤保持部との間が、前記第１摺動面のみで占められており、
前記水供給孔の周方向延長領域において、前記水供給孔と前記潤滑剤保持部との間が、前記第１摺動面のみで占められている湯水混合栓。
［付記２］
前記潤滑剤保持部が、局所的に幅が小さくされている幅狭部を有しており、
前記幅狭部が、前記第１摺動面から下側に向かって延びている付記１に記載の湯水混合栓。
［付記３］
前記幅狭部が、前記湯供給孔の周方向延長領域に設けられている湯側幅狭部と、前記水供給孔の周方向延長領域に設けられている水側幅狭部とを有している付記２に記載の湯水混合栓。
［付記４］
前記潤滑剤保持部が、前記固定弁体の材質よりも界面張力が低い表面皮膜を有しており、
前記表面皮膜が、前記幅狭部以外の部分に設けられている付記２又は３に記載の湯水混合栓。
［付記５］
深さ０．０３ｍｍの位置における前記幅狭部の幅Ｗ１が、０．７ｍｍ以下である付記２から４のいずれか１項に記載の湯水混合栓。
［付記６］
固定弁体と可動弁体とを備えており、
前記固定弁体が、湯供給孔と、水供給孔と、排出孔と、前記可動弁体が摺動する第１摺動面と、前記第１摺動面に隣接する潤滑剤保持部とを有しており、
前記可動弁体が、前記第１摺動面と摺動する第２摺動面と、湯水混合凹部とを有しており、
前記潤滑剤保持部が、局所的に幅が小さくされている幅狭部を有しており、
前記幅狭部が、前記第１摺動面から下側に向かって延びている湯水混合栓。
［付記７］
前記湯供給孔と前記潤滑剤保持部との最短距離がＤ１とされ、前記水供給孔と前記潤滑剤保持部との最短距離がＤ２とされるとき、Ｄ１／Ｄ２が０．５以上２以下である付記１から６のいずれか１項に記載の湯水混合栓。
［付記８］
前記最短距離Ｄ１が０．５ｍｍ以上７ｍｍ以下であり、前記最短距離Ｄ２が０．５ｍｍ以上７ｍｍ以下である付記７に記載の湯水混合栓。
［付記９］
前記第１摺動面の面積がＭ１とされ、前記潤滑剤保持部の面積がＭ２とされるとき、Ｍ２／Ｍ１が０．０５以上０．４０以下である付記１から８のいずれか１項に記載の湯水混合栓。
【国際調査報告】
2020044514.tif 000017
2020044514.tif 000018